(57)【要約】【課題】低コストで、強固に壁に取り付けることができる家具固定構造を提供する。【解決手段】被固定板８の板側差込溝７の長さ方向の一部に嵌込穴９が形成される。固定具１０は、固定具１０の前部１８の被固定板８側の端部と固定具１０の後部の被固定板８側の端部を接続すると共に被固定板８側に向けて突出する接続部２１を備える。接続部２１に板側差込溝７と平行な固定具側差込溝３０が形成される。接続部２１が被固定板８の嵌込穴９に嵌め込まれて固定具側差込溝３０が板側差込溝７に連通する。固定具１０が被固定板８に取り付けられる。背板６の縁部が板側差込溝７及び固定具側差込溝３０に差し込まれる。固着具が、固定具１０の前部１８、背板６、固定具１０の後部１９を順に挿通して壁１１に固着される。【選択図】        図１
2010104728.tif 000002
【特許請求の範囲】
【請求項１】
固定具を用いて家具が後方の壁に固定される家具固定構造において、家具は、側板、底板、又は天板からなる被固定板と、背板を備え、該被固定板の片面の後部に背板の縁部が差し込まれる板側差込溝が形成され、該被固定板の板側差込溝の長さ方向の一部に嵌込穴が形成され、固定具は、固定具の前部と後部の間に形成された板側差込溝と平行なスリットと、固定具の前部の被固定板側の端部と固定具の後部の被固定板側の端部を接続すると共に被固定板側に向けて突出する接続部を備え、接続部に板側差込溝と平行で前記スリットに連通する固定具側差込溝が形成され、接続部が前記被固定板の嵌込穴に嵌め込まれて固定具側差込溝が板側差込溝に連通すると共に、該固定具が被固定板に取り付けられ、背板が前記スリットに挿入されると共に背板の縁部が板側差込溝及び固定具側差込溝に差し込まれ、固着具が、固定具の前部、背板、固定具の後部を順に挿通して壁に固着されることを特徴とする家具固定構造。
【請求項２】
背板の一面が対向する板側差込溝の内面部に当接され、該背板の一面と対向する固定具側差込溝の内面部の間にクリアランスが形成され、背板の反対側の面が対向する固定具側差込溝の内面部によって前記クリアランス側に押圧されることを特徴とする請求項１に記載の家具固定構造。
【発明の詳細な説明】
【技術分野】
【０００１】
本発明は固定具により壁に固定される家具の固定構造に関する。
【背景技術】
【０００２】
従来、図１３（ａ）に示すような天板５、底板４、両側の側板３、及び背板６を有するキャビネットや棚等を構成する家具１は、図１３（ｂ）に示す固定具４２を用いて後方の壁に取り付けることがある。
【０００３】
固定具４２は略Ｌ字状で、背面及び側面を背板６及び側板３に沿わせた状態で側板３に取り付けられる。また、背板６の後面周縁部には予めパーティクルボード等からなる芯材４３が取り付けられる。そして、図３（ｃ）に示すように、ねじ４３を、固定具４２、背板６、芯材４３に挿通させ、壁１１に固着することで、家具１が壁１１に取り付けられる。
【０００４】
ところで、図１３に示す従来の家具固定構造にあっては、前記ねじ４３により家具１を壁１１に沿って取り付けるための芯材４３が必要であり、コストが増加する。
【０００５】
また、例えば特許文献１には、前記芯材４３を省略した家具固定構造が開示されている。この家具固定構造は、背板の縁部に切欠を形成し、側板の片面に固定具を取り付けて該固定具を壁に沿って配置し、該固定具に形成された溝に前記背板の切欠の縁部を差し込み、ねじを固定具に挿通させ、該ねじを壁に固着することで、家具が壁に取り付けられる。
【０００６】
しかし、この特許文献１の家具固定構造にあっては、背板に固定具の溝に対応する位置に該溝に沿った切欠を形成するという特別な加工が必要となり、コストが増す。また、背板は前記ねじを介して側板や壁に取り付けられたものではなく、家具をより強固に壁に固定できる固定構造が望まれていた。
【特許文献１】特開２００５−２７８６９８号公報（図５等）
【発明の開示】
【発明が解決しようとする課題】
【０００７】
本発明は上記従来の問題点に鑑みてなされたものであって、低コストで、強固に壁に取り付けることができる家具固定構造を提供することを課題とする。
【課題を解決するための手段】
【０００８】
上記課題を解決するために請求項１に係る家具固定構造は以下の構成を有している。
【０００９】
固定具１０を用いて家具１が後方の壁に固定される家具固定構造である。家具１は、側板３、底板４、又は天板５からなる被固定板８と、背板６を備える。該被固定板８の片面の後部に背板６の縁部が差し込まれる板側差込溝７が形成される。該被固定板８の板側差込溝７の長さ方向の一部に嵌込穴９が形成される。固定具１０は、固定具１０の前部１８と後部１９の間に形成された板側差込溝７と平行なスリット２３と、固定具１０の前部１８の被固定板８側の端部と固定具１０の後部の被固定板８側の端部を接続すると共に被固定板８側に向けて突出する接続部２１を備える。接続部２１に板側差込溝７と平行で前記スリット２３に連通する固定具側差込溝３０が形成される。接続部２１が前記被固定板８の嵌込穴９に嵌め込まれて固定具側差込溝３０が板側差込溝７に連通すると共に、該固定具１０が被固定板８に取り付けられる。背板６が前記スリット２３に挿入されると共に背板６の縁部が板側差込溝７及び固定具側差込溝３０に差し込まれる。固着具（実施例ではタッピングねじ３５）が、固定具１０の前部１８、背板６、固定具１０の後部１９を順に挿通して壁１１に固着される。
【００１０】
また、背板６の一面が対向する板側差込溝７の内面部に当接され、該背板６の一面と対向する固定具側差込溝３０の内面部の間にクリアランス３６が形成され、背板６の反対側の面が対向する固定具側差込溝３０の内面部によって前記クリアランス３６側に押圧されることが好ましい。
【発明の効果】
【００１１】
請求項１では、固定具の後部を背板と後方の壁との間に配置して固定具を壁に取り付けるためのスペーサーとして利用することができる。このため、家具には従来のように背板の背面に芯材を設ける必要がない。また、固定具の接続部に板側差込溝に連通する固定具側差込溝が形成され、該固定具側差込溝に背板の縁部が差し込まれるので、背板に従来の固定具に沿った切欠のような特別な加工をする必要がない。さらに、背板は固定具の前部、後部、及び接続部によって前後方向の移動が規制され、尚且つ、背板に挿通させた固着具によって背板の厚み方向と直交する方向の移動も規制されて固定具に固定される。このため、家具を強固に壁に固定することができる。また、家具の組立時にあっては、固定具のスリットをガイドとして、背板の縁部を固定具側差込溝を含む板側差込溝に容易に差し込むことができる。
【００１２】
また、請求項２では、板側差込溝の内面部と固定具側差込溝の内面部とで背板を前後方向に挟持することができ、背板が板側差込溝から抜け難くなる。
【発明を実施するための最良の形態】
【００１３】
以下、本発明の実施形態の一例を添付図面に基づいて説明する。
【００１４】
図２に示す本例の家具１は、天袋や、キャビネット、棚等からなり、内部が収納部となった前方に開口する矩形の箱状部２を有する。
【００１５】
箱状部２は、正面視縦長の長方形箱状に形成され、底板４、天板５、両側の側板３、及び背板６で構成されている。
【００１６】
背板６は、既述の底板４、天板５、及び両側の側板３よりも厚みが小さく、箱状部２の剛性は主に厚い底板４、天板５、及び両側の側板３により確保されている。背板６は、その周縁部が、底板４、天板５、及び両側の側板３に形成された板側差込溝７に全長に亘って差し込まれる。
【００１７】
図３に示すように、板側差込溝７は、底板４、天板５、及び両側の側板３の夫々の片面（箱状部２の内面を構成する面であり、以下、単に内面と記載する）の後部に亘って形成され、被固定板８の後縁に沿う直線状に形成されている。
【００１８】
本例では、前記背板６に対して垂直となる底板４、天板５、及び両側の側板３のうち、底板４、天板５、及び一方の側板３が、固定具１０を介して壁１１に固定される被固定板８となる。以下、固定具１０が取り付けられる底板４、天板５、及び一方の側板３は、特に記載する場合を除き、被固定板８と記載する。
【００１９】
図５に示すように、各被固定板８の内面の板側差込溝７の長さ方向の一部には、板側差込溝７と一部重複する円形の嵌込穴９が形成されている。被固定板８を構成する側板３にあっては、上部と下部の２箇所に嵌込穴９が形成され、天板５及び底板４にあっては、被固定板８を構成しない側板３側の半部の１箇所に嵌込穴９が形成されている。
【００２０】
各嵌込穴９は前後幅が板側差込溝７の溝幅よりも大きく且つ板側差込溝７よりも深い円形の穴で構成され、その中心は板側差込溝７の前後方向の中心と略一致している。
【００２１】
各被固定板８の内面における嵌込穴９の前方には円形で嵌込穴９よりも小径の嵌入穴１２が形成されている。各嵌込穴９及び各嵌入穴１２は有底の穴である。
【００２２】
図７に示すように、底板４及び天板５の両端面には複数のダボ１３が突設され、両側板３の内面の側端部におけるダボ１３に対応する箇所にはダボ穴１４が形成されている。
【００２３】
各被固定板８に取り付けられる固定具１０は、図６等に示すように、前部１８と、前部１８の後方に離間して位置する後部１９と、前部１８と後部１９を一体に接続する接続部２１と、カバー部２０とで構成されている。
【００２４】
固定具１０の前部１８は、取り付けの対象となる被固定板８（以下、単に被固定板８と記載する）の内面に沿って配置されるベース部２４と、ベース部２４の後端部から垂直に突出して背板６の前面に沿って配置される突出部２２とで、略Ｌ字状に形成されている。
【００２５】
突出部２２は、正面視で後部１９と重複する矩形状に形成されている。突出部２２と後部１９の間には、当該固定具１０の被固定板８の長手方向、即ち板側差込溝７の長手方向と平行なスリット２３が形成されている。スリット２３は被固定板８の長手方向と平行な固定具１０の幅方向に亘って形成され、両端が開口し、また、被固定板８と反対側にも開口している。
【００２６】
前部１８の突出部２２及び後部１９の夫々の中央にはねじ挿通孔２５、２６が貫通形成されている。両ねじ挿通孔２５、２６はスリット２３を介して対向し、同軸上に位置している。
【００２７】
図４に示すように、前部１８のベース部２４には被固定板８側に向けて突出する嵌込突部２８が形成されている。嵌込突部２８はベース部２４の被固定板８の長手方向における中央に位置し、被固定板８の厚み方向から見て接続部２１よりも小径の円形に形成されている。また、ベース部２４における嵌込突部２８を挟んだ両側部分にはねじ通し孔２７が貫通形成されている。
【００２８】
接続部２１は、被固定板８の内面に沿って配置される前部１８及び後部１９から被固定板８側に向かって突出して、略円柱状に形成されている。
【００２９】
接続部２１は、その前方部３９がベース部２４の被固定板８側の面の後端部中央に接続され、後方部４０が後部１９の被固定板８側の面の前端部中央に接続されており、ベース部２４と後部１９とに跨って形成されている。
【００３０】
接続部２１の前後方向の略中央部には、被固定板８の長手方向と平行で且つスリット２３に連通する固定具側差込溝３０が形成されている。固定具側差込溝３０は接続部２１の幅方向に亘って形成され、両端が開口している。
【００３１】
カバー部２０はねじ挿通孔２５が形成された突出部２２の前面を覆うものである。カバー部２０は、前部１８の被固定板８とは反対側の端部に回動自在に設けられている。カバー部２０には、前記突出部２２の前面を覆った状態で、前部１８に形成された被係止部３３に着脱自在に係止される係止部３２が形成されている。なお、このカバー部２０は図４のように省略しても良い。また、カバー部２０を固定具１０とは別体とする等しても良い。
【００３２】
背板６は図１及び図１０のように左右二枚の矩形の板材１５で構成されている。両板材１５は上下方向に長尺なジョイナー１６により連結される。ジョイナー１６の両側面には板材１５の側縁部を嵌入するための嵌入溝１７が形成されている。
【００３３】
次に前記箱状部２の組み立て方法につき説明する。
【００３４】
まず、図６のように各固定具１０を被固定板８である底板４、天板５、及び片側の側板３に取り付ける。
【００３５】
固定具１０の取り付けは、まず、図５に示すように、固定具１０のベース部２４及び後部１９を被固定板８の内面に当接して、接続部２１及び嵌込突部２８を嵌込穴９及び嵌入穴１２の夫々に嵌入する。これにより、図６に示すように、固定具１０の前部１８は被固定板８における板側差込溝７の前方部上に配置され、後部１９は被固定板８における板側差込溝７の後方部上に配置され、後部１９の後面は被固定板８の後端面と面一となる。さらに、嵌込穴９に嵌め込まれた接続部２１の固定具側差込溝３０は板側差込溝７の底面と面一又は略面一となって被固定板８の板側差込溝７に連通する。
【００３６】
次に、タッピングねじ３４をベース部２４の各ねじ通し孔２７に挿通して被固定板８にねじ込み、該ねじ３４により固定具１０を被固定板８に固着する。これにより、固定具１０の取り付けが完了する。
【００３７】
続いて、図７に示すように、底板４及び天板５のダボ１３を前記ダボ穴１４に嵌入して、側板３の上下縁部に天板５及び底板４の夫々の側縁部を接続する。
【００３８】
次に、前記固定具１０が取り付けられた側板３、底板４及び天板５の夫々の板側差込溝７に背板６の三辺を差し込む。
【００３９】
具体的には、まず、背板６を構成する二枚の板材１５のうち、一方の板材１５の上下の縁部を側板３が設けられていない側から底板４及び天板５の夫々の板側差込溝７に差し込む。そして、この板材１５を板側差込溝７内に差し込んだまま側板３側にスライドして図１に示すように該板材１５の側縁部を側板３の板側差込溝７に差し込む。
【００４０】
このとき、板材１５の側縁部は、底板４、天板５、及び側板３の夫々に取り付けられた固定具１０のスリット２３を通過し、固定具１０の突出部２２の後面及び後部１９の前面をガイドとして、側板３の板側差込溝７にスムーズに差し込むことができる。
【００４１】
次いで、ジョイナー１６の嵌入溝１７に前記板材１５の側板３と反対側の側縁部を嵌入して、ジョイナー１６を板材１５に取り付ける。
【００４２】
続いて、図１のように他方の板材１５を前記板材１５と同様に底板４及び天板５の夫々の板側差込溝７に差し込み、該板材１５の側縁部をジョイナー１６の他方の嵌入溝１７に嵌入する。これにより、両板材１５はジョイナー１６を介して連結される。
【００４３】
上記により、背板６を構成する二枚の板材１５の縁部は、底板４、天板５、及び側板３の板側差込溝７及びこれに連通する固定具側差込溝３０に差し込まれる。
【００４４】
そして、図１０のように、他方の側板３のダボ穴１４に底板４及び天板５のダボ１３を嵌入して、該側板３の上下縁部を底板４の側縁部及び天板５の側縁部に接続することで、箱状部２が組み立てられる。
【００４５】
このように組み立てられた箱状部２は、底板４、天板５、及び両側の側板３の後端面が面一となり、これよりもやや前方に背板６が位置する。
【００４６】
なお、前記背板６の縁部や側板３のダボ１３は、底板４、天板５、及び両側の側板３の板側差込溝７やダボ穴１４に予め塗布された接着剤を介して板側差込溝７の内面やダボ穴１４の内面に接合されるものである。
【００４７】
家具１の箱状部２はその背面を後方の部屋の壁１１に沿わせて設置された状態で、既述の固定具１０を利用して箱状部２の背面側を壁１１に固定できるようになっている。以下、この固定方法につき説明する。
【００４８】
箱状部２を壁１１に固定するには、図１１に示すように、まず、背板６を壁１１に沿わせて各固定具１０の後部１９を壁１１の前面に当接する。そして、この状態で各固定具１０の突出部２２のねじ挿通孔２５に前方からタッピングねじ３５を挿入し、このねじ３５をスリット２３に挿入された背板６を貫いて後部１９のねじ挿通孔２６に挿通させ壁１１にねじ込む。つまり、この場合、タッピングねじ３５は背板６にねじ込まれることにより、背板６を貫通する。
【００４９】
これにより、固定具１０はタッピングねじ３５により壁１１に対して固着され、また、固定具１０が取り付けられた被固定板８も固定具１０を介して壁１１に固定される。なお、固定具１０を壁１１に取り付けた後は、カバー部２０の係止部３２が前部１８の被係止部３３に係止され、該カバー部２０によりタッピングねじ３５の頭部が覆われる。
【００５０】
本例の家具固定構造にあっては、固定具１０の後部１９を背板６と後方の壁１１との間に配置して固定具１０を壁１１に取り付けるためのスペーサーとして利用することができる。このため、家具１には従来のように背板６の背面に芯材４３を設ける必要がない。
【００５１】
また、固定具１０の接続部２１に板側差込溝７に連通する固定具側差込溝３０が形成され、該固定具側差込溝３０に背板６の縁部が差し込まれる。このため、背板６の縁部を全長に亘って直線状に形成することができ、背板６に従来の固定具に沿った切欠のような特別な加工をする必要がない。
【００５２】
また、背板６は固定具１０の前部１８、後部１９、及び接続部２１によって前後方向の移動が規制され、尚且つ、背板６に挿通させたタッピングねじ３５によって背板６の厚み方向と直交する方向の移動も規制されて固定具１０に固定されるので、家具１を強固に壁１１に固定することができる。
【００５３】
また、家具１の組立時にあっては、固定具１０のスリット２３をガイドとして、背板６の縁部を固定具側差込溝３０を含む板側差込溝７に容易に差し込むことができる。
【００５４】
ここで、前記固定具側差込溝３０はその内面を板側差込溝７の内面と面一として板側差込溝７の長さ方向から見て固定具側差込溝３０と板側差込溝７が重複するようにしても良い。
【００５５】
また、図１２に示すように、背板６の前面が被固定板８の板側差込溝７の前方部３８に当接され、背板６の前面と固定具１０の固定具側差込溝３０の前方部３９との間にクリアランス３６が形成され、且つ、背板６が固定具１０の固定具側差込溝３０の後方部４０で前方に押圧されることが好ましい。図１２の例では、固定具側差込溝３０の後方部４０に前方に突出する楔状の突部３７を複数形成し、これら突部３７を背板６の後面に弾接している。
【００５６】
このようにすることで、板側差込溝７の前方部３８と固定具側差込溝３０の後方部４０とで背板６を前後方向に挟持することができ、背板６が板側差込溝７から抜け難くなる。
【００５７】
なお、図１２の例とは逆に、背板６の後面を板側差込溝７の後方部４０に当接し、背板６の後面と固定具側差込溝３０の後方部４０との間にクリアランスを形成し、且つ、背板６を固定具側差込溝３０の前方部３８で後方に押圧しても良い。
【００５８】
また、上記各例では、固定具１０を用いて壁１１に固定される被固定板８を、天板５、底板４、及び一方の側板３としたが、底板４、天板５、両側の側板３のうち少なくともいずれか一つを被固定板８とすれば良いものとする。また、背板６は２枚の板材１５で構成したが、１枚又は３枚以上の板材１５で構成しても良い。
【００５９】
また、固定具１０を壁１１に固着するための固着具をねじ具で構成したが、釘等の他の固着具を用いて固定具１０を壁１１に固着しても良い。
【００６０】
また、固定具１０の形状についても本発明の主旨を逸脱しない範囲で設計変更可能であり、例えば嵌込突部２８を省略する等しても良い。
【図面の簡単な説明】
【００６１】
【図１】本発明の実施の形態の一例を示し、天板及び底板の板側差込溝に板材を差し込む様子を示す斜視図である。
【図２】家具の後側から見た斜視図である。
【図３】側板の斜視図である。
【図４】固定具の下側から見た斜視図である。
【図５】固定具を側板に取り付ける前の状態を示す斜視図である。
【図６】固定具を側板に仮固定した状態を示す斜視図である。
【図７】側板に天板及び底板を取り付ける前の状態を示す斜視図である。
【図８】固定具のスリットの背板を差し込む様子を示した斜視図である。
【図９】ジョイナー及びこれに差し込まれる板材の断面図である。
【図１０】天板及び底板に他方の側板を取り付ける前の状態を示す斜視図である。
【図１１】固定具を壁に固着した状態を示す水平断面図である。
【図１２】嵌込穴、接続部、背板を示す水平断面図である。
【図１３】従来技術を示し、（ａ）は家具の後側から見た斜視図であり、（ｂ）は側板に固定具を取り付ける前の状態を示す斜視図であり、（ｃ）は固定具を壁に固着した状態を示す水平断面図である。
【符号の説明】
【００６２】
１  家具
３  側板
４  底板
５  天板
６  背板
７  板側差込溝
８  被固定板
９  嵌込穴
１０  固定具
１８  前部
１９  後部
２１  接続部
２３  スリット
３０  固定具側差込溝
３５  タッピングねじ
【図１】
2010104728.tif 000003
【図２】
2010104728.tif 000004
【図３】
2010104728.tif 000005
【図４】
2010104728.tif 000006
【図５】
2010104728.tif 000007
【図６】
2010104728.tif 000008
【図７】
2010104728.tif 000009
【図８】
2010104728.tif 000010
【図９】
2010104728.tif 000011
【図１０】
2010104728.tif 000012
【図１１】
2010104728.tif 000013
【図１２】
2010104728.tif 000014
【図１３】
2010104728.tif 000015